(57)【要約】【課題】  窓孔を有する扉主体と、窓孔を塞ぐように扉主体の裏側に適宜な固定部材で取付けられるガラスユニットとを有する遊技機用ガラス扉において、一人の作業者がガラス扉の裏側にガラスユニットを位置決めするのは容易でなく、また、装着作業の際にガラスユニットを落下・破損させる危険性があった。【解決手段】  前枠４に開閉自在に設けられ遊技領域９に対応する窓孔１０を形成してなる扉主体６と、窓孔１０を塞ぐように扉主体６の裏側に固定部材１５によって取付けられるガラスユニット７とを有するガラス扉５において、扉主体６の裏面上部に支持部材１４を形成し、一方、ガラスユニット７の上部に支持部材１４に対し回動可能な状態に係合させ得る懸垂部材７ｅを形成し、支持部材１４に懸垂部材７ｅを係合させてガラスユニット７を吊り下げ状態に支持せしめ、そのガラスユニット７を固定部材１５で固定するようにした。【選択図】        図１
2007029476.tif 000002
【特許請求の範囲】
【請求項１】
前枠の前面に開閉自在に設けられ遊技板の遊技領域に対応する窓孔を形成してなる扉主体と、該扉主体の窓孔を塞ぐようにその裏側に固定部材によって取り付けられるガラスユニットと、を有する遊技機用ガラス扉において、
前記扉主体の裏面上部に支持部材を形成し、一方、ガラスユニットの上部に前記支持部材に対し回動可能な状態に係合させ得る懸垂部材を形成し、扉主体の支持部材にガラスユニットの懸垂部材を係合させてガラスユニットを吊り下げ状態に支持せしめ、そのガラスユニットを前記固定部材で固定するようにしたことを特徴とする遊技機用ガラス扉。
【請求項２】
前記扉主体の支持部材をフック構造とし、一方、ガラスユニットの懸垂部材を横軸構造としたことを特徴とする請求項１記載の遊技機用ガラス扉。
【請求項３】
前記扉主体の支持部材を横軸構造とし、一方、ガラスユニットの懸垂部材をフック構造としたことを特徴とする請求項１記載の遊技機用ガラス扉。
【発明の詳細な説明】
【技術分野】
【０００１】
本発明は、遊技機の前面に位置する遊技機用ガラス扉（以下単に「ガラス扉」ともいう。）に関する。
【背景技術】
【０００２】
前枠の前面に開閉自在に設けられ主として遊技板の遊技領域に対応するほぼ円形の窓孔を形成してなる扉主体と、該扉主体の窓孔を塞ぐようにその裏側に適宜な固定部材によって取り付けられるほぼ円形のガラスユニットと、を有するガラス扉は、例えば特許文献１に記載されているように公知である。このガラス扉は、特許文献１の主として段落００３９に記載されているように、扉主体相当部品の裏面に短軸状のガラス取付支持部材を突設し、一方、円形のガラスユニット相当部品の周面に４つの突片を突設し、該突片に設けた貫通穴に前記ガラス取付支持部材を通した後、固定部材相当部品でガラス取付支持部材と突片とを結合するようになっている。
【特許文献１】特開平７−２１３６９１号公報
【発明の開示】
【発明が解決しようとする課題】
【０００３】
一般に、遊技機とガラスユニットは別梱包にして輸送され、遊技機はその状態のまま、すなわちガラスユニット未装着のまま遊技場の設置島に取り付けられる。そして、遊技機設置後にガラス扉を開き、その裏側からガラスユニットを装着して固定部材で固定する。
【０００４】
しかして、開いたガラス扉はヒンジ部を中心に回動自由の状態であって固定的でない。従って、一人の作業者がガラス扉の裏側にガラスユニットを正確に位置決めするのは容易でない。また、ガラスユニットの位置決めに成功したとしても、ガラスユニットをガラス扉に押し付ける際にガラス扉が動いて逃げる可能性もある。従って作業性が非常に悪い。加えて現在のガラスユニットは、２枚の板ガラスをガラスホルダーに接着したペアガラス構造であって重いため作業者の疲労度が大きく、そのような疲労による腕力の低下がさらに作業性を悪化させる問題がある。そして最悪の場合、ガラスユニット装着作業の際に誤ってガラスユニットを落下・破損させる危険性があった。
【課題を解決するための手段】
【０００５】
前枠の前面に開閉自在に設けられ遊技板の遊技領域に対応する窓孔を形成してなる扉主体と、該扉主体の窓孔を塞ぐようにその裏側に固定部材によって取り付けられるガラスユニットと、を有する遊技機用ガラス扉において、
前記扉主体の裏面上部に支持部材を形成し、一方、ガラスユニットの上部に前記支持部材に対し回動可能な状態に係合させ得る懸垂部材を形成し、扉主体の支持部材にガラスユニットの懸垂部材を係合させてガラスユニットを吊り下げ状態に支持せしめ、そのガラスユニットを前記固定部材で固定するようにした遊技機用ガラス扉を提供する。
【０００６】
また、請求項２に記載したように、前記扉主体の支持部材をフック構造とし、一方、ガラスユニットの懸垂部材を横軸構造とした請求項１記載の遊技機用ガラス扉を提供する。
【０００７】
また、請求項３に記載したように、前記扉主体の支持部材を横軸構造とし、一方、ガラスユニットの懸垂部材をフック構造とした請求項１記載の遊技機用ガラス扉を提供する。
【発明の効果】
【０００８】
扉主体の支持部材にガラスユニットの懸垂部材を係合させると、ガラスユニットが吊り下げ状態になるため両手を離しても落下しない。また、懸垂部材が支持部材に対し係合状態で回動可能であるため、作業手順として先ず懸垂部材と支持部材の係合を優先させ、その後、ガラスユニットを回動させて扉主体に沿わせる、ということが可能であり、従来なら時間の掛かるガラスユニットの位置合わせが短時間で完了する。従ってガラスユニットを固定部材で固定する作業が、両手で安全・確実・迅速に行える。
【発明を実施するための最良の形態】
【０００９】
以下に本発明の実施の形態を図面を参照しつつ説明する。なお、図１はガラスユニットを外した分解状態を示す遊技機の斜視図、図２は遊技機の斜視図、図３は図２の要部拡大斜視図、図４はガラスユニットの斜視図、図５はガラスユニットの要部断面図、図６は遊技機の正面図である。
【００１０】
実施形態の遊技機１はパチンコ機であって、木製又は合成樹脂製の外枠２と、その外枠２の前面に上下一対のヒンジ金具３，３で開閉自在に装着した前枠４と、その前枠４の前面に開閉自在に軸着した遊技機用ガラス扉５と、を有する。また、ガラス扉５は、主体となる扉主体６と、その扉主体６に取り付けられるガラスユニット７で構成される。
【００１１】
前記扉主体６は、前枠４に設置した遊技板８の遊技領域９に対応する略円形の窓孔１０を有する。また、扉主体６の裏側であって窓孔１０の周囲には、窓孔１０の周縁から一定の距離を置いて略円形の周壁１１が立設されている。この周壁１１には頂部に大ゲート部１２が、また例えば窓孔１０を内接円とするような正方形を想定しその仮想正方形の対角線と交差する位置に４つの小ゲート部１３，１３…が形成されている。そしてさらに扉主体６の裏面には、前記周壁１１の外側であって大ゲート部１２の上部両横に側面視略Ｌ字型であるフック状の支持部材１４，１４が突設され、また、前記周壁１１の外側であって各小ゲート部１３の横に固定部材１５，１５…が設けられている。なお、実施形態の固定部材１５は、アーム状のストッパー片１５ａを回動可能に軸着したものである。
【００１２】
一方、前記ガラスユニット７は、略円形リング状で断面内向き凸状のガラスホルダー７ａに２枚の板ガラス７ｂ，７ｂを接着したいわゆるペアガラス構造である。
このガラスユニット７のガラスホルダー７ａには、周側面の頂部に軸ホルダー７ｃを突設し該軸ホルダー７ｃの両端に金属製の横軸７ｄを突出させた横軸構造の懸垂部材７ｅが設けられている。
また、ガラスユニット７のガラスホルダー７ａには、例えばガラスホルダー７ａを内接円とする正方形を想定してその仮想正方形の対角線と交差する位置に４つの突片７ｆ，７ｆ…が突設されている。この突片７ｆは、ガラスホルダー７ａの扉主体６に接する側を裏面とした場合、その裏面寄りの位置に設けられている。
【００１３】
さらにまた、ガラスホルダー７ａの周側面には、表寄りの位置にフランジ片７ｇが突設されている。実施形態のフランジ片７ｇはガラスユニット７の正面に向かって右斜め上（又は左斜め上）と、左斜め下（又は右斜め下）にそれぞれ１つずつ設けられている。このようにフランジ片７ｇは、少なくともガラスホルダー７ａのセンターを中心にほぼ点対称の位置に２つ設ければよい。もちろんそれ以上の数にしてもよく、また、ガラスホルダー７ａの全周に設けるようにしてもよい。
【００１４】
ガラスユニット７のガラスホルダー７ａは合成樹脂製であり、少なくともガラスホルダー７ａの本体と軸ホルダー７ｃと突片７ｆが樹脂成形金型により一体に成形され、さらに金属製の横軸７ｄがインサート成形により軸ホルダー７ｃに一体化されている。また、フランジ片７ｇは、ガラスホルダー７ａの本体とは別体にしてビスや接着により後付けするか、或は突片７ｆと型抜き方向に重ならない位置を選択するなど手段を講じて一体に成形してもよい。
【００１５】
その他、図１中、符号１６は遊技板８の遊技領域９を囲うレール、１７は発射レール、１８は打ち出すパチンコ球の球勢を調節する操作ハンドル、１９は前枠４の下部に固着した下球皿、２０は前枠４の裏側に一体に設けられ球タンク２１やタンクレール（図示せず）等を有する本体枠（該本体枠２０に代えて従来の機構板を前枠４に取り付けるようにしてもよい。）、２２は前枠４を外枠２に固定する鍵部材、２３はガラス扉５を前枠４に固定する鍵部材、２４は両鍵部材２２，２３を解錠操作する錠装置、２５はガラス扉５（扉主体６）の裏面に設けられパチンコ球を発射レール１７に１個ずつ供給する打球自動供給装置である。また、図６中、符号２６はガラス扉５の前面下部に設けた上球皿である。
【００１６】
次に、ガラスユニット７をガラス扉５に装着する方法について説明する。なお、遊技機１はガラスユニット７未装着の状態で設置島に固定され、前枠４、ガラス扉５の何れもが閉じた状態になっている。
【００１７】
そこで先ず、ガラス扉５を図１のように開放する。次に作業者がガラスユニット７を両手で持ち、扉主体６の裏側に立つ。このときガラスホルダー７ａの前記フランジ片７ｇ，７ｇに指を掛ければ持ちやすく、手を滑らせる危険性が減少する。また、フランジ片７ｇ，７ｇを持てばガラス面に触れにくくなるから素手で作業を行ってもガラスユニット７が汚れにくい利点もある。
【００１８】
次にガラスユニット７を両手で操り、ガラスユニット７の懸垂部材７ｅの横軸７ｄを扉主体６の支持部材１４に引っ掛ける。このとき懸垂部材７ｅを扉主体６の裏面に沿って上から下に降ろすという、あたかも帽子掛けに帽子を引っ掛けるがごとき単純な動作で支持部材１４に引っ掛けることができ、また、一旦引っ掛けた後は、扉主体６の動きとガラスユニット７の動きが完全に連動するから、ガラスユニット７を手で支えた状態で扉主体６の動きが完全に制御できる。
【００１９】
次にガラスユニット７を懸垂部材７ｅの横軸７ｄを中心に回動させ、扉主体６の裏面に沿わせた状態で両手を離す。そうするとガラスユニット７が支持部材１４に吊り支えられた状態になり、ガラスホルダー７ａが扉主体６の周壁１１の中に嵌まり込む。この状態で周壁１１の大ゲート部１２に懸垂部材７ｅの軸ホルダー７ｃが臨み、また、周壁１１の小ゲート部１３にガラスホルダー７ａの突片７ｆが臨む。そして、この突片７ｆの上に固定部材１５のストッパー片１５ａを当ててガラスユニット７を固定し、その後、ガラス扉５を閉じる。
【００２０】
なお、ガラス扉５からガラスユニット７を外す場合は、上記と逆の手順を実行すればよい。
【００２１】
図７は他の形態を示すガラス扉の要部斜視図である。この実施形態はガラスユニット７の懸垂部材７ｅが図１〜図４に図示したものと相違するのであって、２つの離れた軸ホルダー７ｃ，７ｃ間に横軸７ｄを掛け渡してなる。この実施形態では、図示した２つの支持部材１４，１４をつないで１つに連続させてもよい。そうすることにより支持部材１４の強度が高まる。
【００２２】
図８は支持部材１４の他の形態を示す要部の断面図である。上記各実施形態の支持部材１４は側面視略Ｌ字型のフック状であるが、この実施形態の支持部材１４は、懸垂部材７ｅの横軸７ｄが通る開口部１４ａの広さを横軸７ｄの直径より若干小さくして支持部材１４の着脱に若干の抵抗を付与するようにしたものであり、こうすることにより懸垂部材７ｅと支持部材１４の結合力を高めることができる。
【００２３】
図９は他の形態を示すガラス扉の要部斜視図である。この実施形態は扉主体６の支持部材１４を一対の軸ホルダー１４ｂ，１４ｂ間に横軸１４ｃを掛け渡した横軸構造とし、一方、ガラスユニット７の懸垂部材７ｅを逆さＪ字型のフック構造にしたものである。なお、支持部材１４の横軸構造は、図１〜図４にある懸垂部材７ｅの横軸構造を採用することもできる。
【００２４】
ところで上記した全ての実施形態は、支持部材１４と懸垂部材７ｅの組合せが、懸垂部材７ｅの鉛直面内の動きで係合に至る引掛構造である点で共通する。支持部材１４と懸垂部材７ｅのかような引掛構造は、前記のように帽子掛けに帽子を引っ掛ける程度の大雑把な位置合わせで係合可能であるから、たとえ扉主体６が開放状態で位置が定まらなくとも、懸垂部材７ｅの支持部材１４への引っ掛けが一人で迅速に行える。
【００２５】
以上本発明を実施の形態について説明したが、もちろん本発明は上記実施形態に限定されるものではない。例えば実施形態では遊技機１としてパチンコ機を例示したが、スロットマシンのメダルをパチンコ球に代え一定個数のパチンコ球でスロットゲームを行わせるようにしたものや、それ以外のものにも適用できる。
また、実施形態ではガラスユニット７を円形にしたが、矩形や楕円形或は馬蹄形などにしてもよい。
また、実施形態では固定部材１５を回動自在なストッパー片１５ａで形成したが、かかる構造に限定する必要はなく、例えば一般的なネジを固定部材１５にしてもよい。
また、本発明において「ガラス」は広く透明板を意味する用語として使用するものであって、「ガラス」には透明な合成樹脂製のものも含まれる。
【図面の簡単な説明】
【００２６】
【図１】ガラスユニットを外した分解状態を示す遊技機の斜視図である。
【図２】遊技機の斜視図である。
【図３】図２の要部拡大斜視図である。
【図４】ガラスユニットの斜視図である。
【図５】ガラスユニットの要部断面図である。
【図６】遊技機の正面図である。
【図７】他の形態を示すガラス扉の要部斜視図である。
【図８】他の形態を示すガラス扉の要部断面図である。
【図９】他の形態を示すガラス扉の要部斜視図である。
【符号の説明】
【００２７】
４  …前枠
５  …遊技機用ガラス扉
６  …扉主体
７  …ガラスユニット
７ｅ…懸垂部材
８  …遊技板
９  …遊技領域
１０…窓孔
１４…支持部材
１５…固定部材
【図１】
2007029476.tif 000003
【図２】
2007029476.tif 000004
【図３】
2007029476.tif 000005
【図４】
2007029476.tif 000006
【図５】
2007029476.tif 000007
【図６】
2007029476.tif 000008
【図７】
2007029476.tif 000009
【図８】
2007029476.tif 000010
【図９】
2007029476.tif 000011